(57)【要約】      （修正有）【課題】のぼり旗のチチ輪を竿に通す作業を、より簡便で効率的に行うことができる、のぼり竿用キャップを提供する。【解決手段】のぼり竿に対して着脱可能に固定されて端部を覆う、のぼり竿用キャップ１であって、竿の端部に嵌る結合部２と、該結合部から延在する胴体部３と、該胴体部から突出する細く又は薄い先端部４を有し、先端部が、のぼり旗に設けられたチチ輪の幅よりも長く、旗のチチ輪を竿に通す際に容易に通過することを特徴とする、のぼり竿用キャップによって提供する。のぼり竿用キャップの先端部は、ナイフ状、鉛筆サック状、又はへら状のいずれかの形状が好ましく、さらに先端部を覆うカバー２１を被せることができる。【選択図】図１
0003131327.tif 000002
【実用新案登録請求の範囲】
【請求項１】
のぼり竿に対して着脱可能に固定されて端部を覆う、のぼり竿用キャップであって、
竿の端部に嵌る結合部と、該結合部から延在する胴体部（Ａ）と、該胴体部から突出する細く又は薄い先端部（Ｂ）を有し、先端部（Ｂ）が、のぼり旗に設けられたチチ輪の幅よりも長く、旗のチチ輪を竿に通す際に容易に通過することを特徴とする、のぼり竿用キャップ。
【請求項２】
胴体部（Ａ）の長さが、竿の直径の１〜３倍であることを特徴とする請求項１に記載の、のぼり竿用キャップ。
【請求項３】
先端部（Ｂ）の形状が、ナイフ状、鉛筆サック状、又はへら状から選ばれるいずれかであることを特徴とする請求項１に記載の、のぼり竿用キャップ。
【請求項４】
先端部（Ｂ）の太さ（厚さ）が、１〜１０ｍｍであることを特徴とする請求項１に記載の、のぼり竿用キャップ。
【請求項５】
請求項１〜４に記載の、のぼり竿用キャップは、全体が一体的に成形されていることを特徴とする、のぼり竿用キャップ。
【考案の詳細な説明】
【考案の詳細な説明】
【産業上の利用分野】
【０００１】  この考案は、のぼり竿用キャップに関し、より詳しくは、のぼり旗のチチ輪を竿に通す作業を、より簡便で効率的に行うことができる、のぼり竿用キャップに関するものである。
【背景技術】
【０００２】  のぼり旗には、その端部に旗を竿（支柱）や横棒に取り付けるためのチチ輪が縫い付けられている。そのチチ輪は、竿の太さやチチ輪の材料などにもよるが、通常、０．５〜２ｃｍとされている。そして、旗を竿に通す前にあっては、旗を広げても輪が押しつぶされて膨らみ幅がほとんどない状態にされている。
そのため、のぼり旗の組み立ての過程において、竿にチチ輪を通す際に、チチ輪を竿の端部に引っ掛けることがない様に通すため、つぶれた状態のチチ輪を手作業で膨らみ幅を作る必要があった。【０００３】  このチチ輪に膨らみ幅を作って竿に通す作業は、組み立ての過程の中でも特に繊細な手作業が必要であり、時間のかかる非効率な作業であった。のぼり旗は、例えば街頭での広告、お祭り、イベント、選挙運動などで使用されることが多く、その際に、のぼり旗を一度に多数使用されることも少なくない。【０００４】  また、のぼり旗の組み立て作業は繊細な手作業に不向きな野外で行われることが多く、猛暑、強風、雨天など悪天候の場合や、時間的制約があるときなどは、作業者の負担は大きく、のぼり旗のチチ輪を竿に通すのに、多大な労力と無益な時間が浪費されていた。【０００５】  従来のキャップは、図８（Ｉ）（ＩＩ）にその外観を示すように、細くて短い横棒とそれに付けられた旗を単に支えられればよいと考えられており、小さく形状も円筒状の平凡なものばかりであった。その構造は、キャップ１０の頂部が平らで竿１１とほぼ同じ幅になっており、竿１１の端部に設けられた外ネジ１２に、キャップ１０の内ネジ１３が嵌まり込み、差し込み穴に通される横棒１４を上から押さえつけるようにしている（例えば、特許文献１参照）。【０００６】  このようなことから、のぼり旗の組み立て作業を簡便かつ効率的に行えることが必要とされ、しかも広告・宣伝にも寄与するようなユニークな形状をした、のぼり旗竿用キャップが望まれていた。
【特許文献１】  実用新案登録第３１２２２５４号公報
【考案が解決しようとする課題】
【０００７】  この考案の目的は、のぼり旗のチチ輪を竿に通す作業を、より簡便で効率的に行うことができる、のぼり竿用キャップを提供することにある。
【課題を解決するための手段】
【０００８】  本考案者は、上記目的を達成するために、のぼり竿の最上部に装着するキャップの形状を工夫し、その先端をより薄くして、物差し・靴べらのようにするか、鉛筆サックのように細長くすることにより、チチ輪の隙間に竿を挿入しやすくなり、作業性が大幅に向上することを見出して、本考案を完成した。
【０００９】  すなわち、本考案によれば、第１の考案として、のぼり竿に対して着脱可能に固定されて端部を覆う、のぼり竿用キャップであって、竿の端部に嵌る結合部と、該結合部から延在する胴体部（Ａ）と、該胴体部から突出する細く又は薄い先端部（Ｂ）を有し、先端部（Ｂ）が、のぼり旗に設けられたチチ輪の幅よりも長く、旗のチチ輪を竿に通す際に容易に通過することを特徴とする、のぼり竿用キャップが提供される。
【００１０】  また、本考案の第２の考案として、前記第１の考案において、胴体部（Ａ）の長さが、竿の直径の１〜３倍であることを特徴とする、のぼり竿用キャップが提供される。
また、本考案の第３の考案として、前記第１の考案において、先端部（Ｂ）の形状が、ナイフ状、鉛筆サック状、又はへら状から選ばれるいずれかであることを特徴とする、のぼり竿用キャップが提供される。
また、本考案の第４の考案として、前記第１の考案において、先端部（Ｂ）の太さ（厚さ）が、１〜１０ｍｍであることを特徴とする、のぼり竿用キャップが提供される。
さらに、本考案の第５の考案として、前記第１〜４の考案において、全体が一体的に成形されていることを特徴とする、のぼり竿用キャップが提供される。
【考案の効果】
【００１１】  本考案ののぼり竿用キャップは、先端が細く、あるいは薄く形成されているために、のぼり竿にチチ輪を通す作業が、より簡便で効率的に行うことが可能となり、のぼり旗組み立て作業時間の短縮化を図ることが出来る。また、強度も十分で、倒れても安全であるだけでなく、従来にない外観を呈しており、広告効果も一段と大きくなる。
【考案を実施するための最良の形態】
【００１２】  以下に、本考案の、のぼり竿用キャップとその使用方法を図面に基づいて詳細に説明する。【００１３】１．のぼり竿用キャップ
本考案において、のぼり竿用キャップは、のぼり竿に対して着脱可能に固定されて竿の端部を覆うものである。【００１４】  本考案ののぼり竿用キャップ１の全体構造は、図１のように、竿の端部に嵌る結合部２と、該結合部２から延在する胴体部３と、該胴体部から突出する先端部４を有している。【００１５】  結合部２は、のぼり竿に対して着脱可能に固定できるようにされている。また、竿の端部に設けられる台座と一体化してもよい。その場合は、内側にネジを設けて竿の外ネジに嵌まり込むようにする。【００１６】  胴体部３の長さは、竿の直径の１〜３倍、好ましくは１〜２倍である。胴体部３の長さが竿の直径よりも短いと、竿の上端からすぐに細く、あるいは薄くなってしまうので、先端部が折れやすくなるだけでなく、旗を竿に通すときチチ輪が端部に引っかかって通りにくい。すなわち、従来のキャップのように頂部が平らで竿と同じ幅であると、チチ輪を竿がくぐりにくくなる。また、胴体部３の長さが、竿の直径の３倍を越えると、全体の大きさに限度があるので先端部を長くできなくなる。
なお、胴体部３の太さは、図示したとおり、結合部２の太さと略同等であるが、先端部４とつながる部分、すなわちカバー２１の下端が密着する部分を竿の内径よりも細くすることで、作業を終えた後に取り外して、キャップ全体を竿内を収納できるようにしてもよい。【００１７】  先端部４の寸法、形状は、本考案の目的にかなうものであれば特に制限されない。ただし、先端部の長さは、のぼり旗に設けられたチチ輪の幅よりも長く、例えば１ｃｍ以上、好ましくは１．５〜５ｃｍとされ、旗を竿に通す際に、チチ輪が容易に通過できるようにする。先端部の長さが、チチ輪の幅よりも短く、１ｃｍ未満であると挿入しにくく、一旦挿入しても抜けやすいので好ましくない。また、先端部４の太さ（厚さ）は、１〜１０ｍｍ、好ましくは２〜８ｍｍ、より好ましくは３〜６ｍｍである。先端部４の太さ（厚さ）が、１ｍｍ未満では折れやすく、また竿が倒れたときに危険であり、１０ｍｍを越えるとチチ輪に挿入しにくく取り扱いにくくなり作業性が低下する。一方、先端部の形状は、例えば、ナイフ状、鉛筆サック状、へら状などが好ましい。図１には先端が鉛筆サック状のものを示している。このようなキャップは、輪郭が流線型で先端ほど細く、あるいは薄くなっているため、竿がチチ輪をくぐり易い。【００１８】  キャップの材質は、本考案の目的にかなうものであれば特に制限されず、プラスチック、金属、セラミック、木材などを用いることができる。プラスチックとしては、ポリオレフィン、ポリカーボネート、ポリエステル、ポリアミドなどの熱可塑性樹脂や、不飽和ポリエステル、ビニルエステルなどの熱硬化性樹脂から選ばれる樹脂材料が挙げられる。樹脂材料には、酸化防止剤、安定剤、着色剤、滑剤などの添加剤や、微細なガラス粉末、カーボンブラックなどの充填剤を含有することができる。このような樹脂材料を用いれば金型で所定の形状に容易に成形できる。図１は全体を同じ材料で一体的に構成したものである。同じ材料を用いて全体を一体的に構成すれば、製造が容易で比較的低コストのキャップが得られる。【００１９】  このように全体を同じ材料で一体的に構成してもよいが、部分的に他の材料を組合せてもよい。例えば、結合部２、胴体部３を上記のような樹脂材料で構成し、一方、先端部４をゴム、エラストマーから選ばれるより柔軟で弾性のある材料で構成してもよい。それにより、先端部に衝撃が加わっても折れにくく、また竿が倒れても危険をなくすることができる。また、先端部を保護できるように、例えば、図１の（ＩＩ）に示したようなカバーを用意して、キャップ全体を覆うことができる。【００２０】  本考案には、様々な態様があるが、いずれのタイプも、胴体部２は、キャップ頂部が盛り上がるようになって、それに連なる本考案の特徴部分である先端部４が十分に薄く、あるいは細く形成されている。たとえば、その一例である図５は、結合部２が図１の代表例と同様であるが、胴体部３と先端部４の形状が異なるものである。先端部４が本体の中央でなく外側に位置しており、先端部４から胴体部３に連接する部分が大きなカーブを描いている。【００２１】  また、図６のキャップは、図１、図５と結合部２は同様であるが、胴体部３と先端部４の形��が異なるものである。先端部４が薄くて、へら状になっており、先端部４と連接する胴体部３がゆるやかなカーブを描いている。【００２２】  さらに、図７のキャップは、図６と同様に先端部４が薄く、へら状になっているが、先端部４として、長い物差し状のものを胴体部３に連結している。しかも、先端部４を長くして、その中間に突起２０を設けている。突起は設けても設けなくてもよいが、突起があると、一旦竿に通したチチ輪が逆方向にずりあがるのを防止できるので、作業能率が高まるという効果がある。先端部４を胴体部３とは異なる色にするか、透明な材料で構成してもよい。【００２３】２．のぼり竿用キャップの使用方法
次に、このキャップの使用方法について図２を用いて説明する。竿に旗を通す際には、まず、キャップ１を竿１１に取り付けなければならない。そのためには、台座１０（従来のキャップ）の上に本考案のキャップ１を載せ、台座１０に押し込むか、ねじ込むことになる。【００２４】  結合部２が竿１１に固定された後、竿に旗を通すには、片手に竿１１を持ち、他方の手で本考案のキャップ１を支え、その先端部を旗のチチ輪１５に当てる。先端部は細く、十分に長いので、チチ輪１５の僅かな隙間に容易に入り込む。旗１６には、縦縁部にチチ輪が多数設けられているが、この作業は、従来の作業時間を半減させるほど能率的である。これを繰り返した状態を図３に示している。【００２５】  そして、竿１１の縦方向にあるチチ輪を竿に通し終わると、次に、旗の横縁部のチチ輪に横棒１７を通し、台座の穴に挿入し、台座のネジを締めて固定する。その後、先端部を覆うようにカバー（図１の２１）を被せることが望ましい。こうすれば、突起状もしくは鋭利な先端部によって事故や怪我を防止することができる。これら一連の作業が完了し、のぼり旗が組み立てられた状態を図４に示している。本考案のキャップ１は、従来よりも大きくて目立つことから、旗のデザインによってキャップの色や形状を選択すれば、広告用のぼりとして一層効果的である。【００２６】  本考案（のぼり竿用キャップ）は、畳まれて平らな状態にある旗のチチ輪の隙間にキャップの先端を挿入することによって、チチ輪の隙間が開き、さらにチチ輪をキャップ胴体部（壁面）に沿わせて、先端から延長線上である竿本体側に送り出すにつれて、竿の直径程度の膨らみ幅となる。【００２７】  通常、チチ輪は１つの旗に数個取り付けられており、チチ輪を本考案のキャップ先端を挿入し竿本体に送り出す作業をチチ輪の数だけ繰り返し行うことになる。その際に、従来ならば、各チチ輪に膨らみ幅をつける動作を必要とするため、その度にチチ輪を竿に通し送り出す動作が中断されていたが、本考案のキャップを使用することで動作の中断がほとんど省略される。【００２８】  また、本考案のキャップは、竿ごとに脱着が可能で、１つの竿に旗を取り付ける作業が終わるごとに、取り外して別ののぼり竿に再び取り付け使用することが可能である。場合によっては、本考案品であるキャップが紛失しないように、あるいは竿ごとのキャップの脱着動作を省略させるために、竿本体と一体化して形成したものを供することもできる。
【図面の簡単な説明】
【００２９】
【図１】  本考案の代表的なのぼり竿用キャップの全体図（Ｉ）、カバーを被せた全体図（ＩＩ）である。
【図２】  図１ののぼり竿用キャップを竿の台座に装着する場合の説明図である。
【図３】  本考案の、のぼり竿用キャップを用いて、旗のチチ輪を通している様子を示す説明図である。
【図４】  図３の要領で、のぼり竿に旗を通し終えた状態を示す説明図である。
【図５】  本考案の他ののぼり竿用キャップの全体図である。
【図６】  本考案の、のぼり竿用キャップ（先端へら状）の全体図である。
【図７】  本考案の、のぼり竿用キャップ（先端ナイフ状）の全体図である。
【図８】  従来の、のぼり竿用キャップの正面図（Ｉ）、平面図（ＩＩ）である。
【符号の説明】
【００３０】１    のぼり竿用キャップ
２    結合部
３    胴体部
４    先端部
１０  台座
１１  竿
１５  チチ輪
１６  旗
１７  横棒
２１  カバー
【図１】
0003131327.tif 000003
【図２】
0003131327.tif 000004
【図３】
0003131327.tif 000005
【図４】
0003131327.tif 000006
【図５】
0003131327.tif 000007
【図８】
0003131327.tif 000008
【図６】
0003131327.tif 000009
【図７】
0003131327.tif 000010